(57)【要約】【課題】片手で操作することが容易で情報表示スペースを広く取ることができる舞台装置制御システム用携帯端末とそれを用いた舞台装置制御システムを提供する。【解決手段】舞台装置の配列情報を表示する表示部２と、表示部２に表示される舞台装置の配列情報を用いて制御する舞台装置を選択でき、選択した舞台装置の制御内容を入力できる操作部３と、アンテナ部４と、操作部３により選択された舞台装置に対する制御信号をアンテナ部４から外部に送信する無線通信部５と、をケース１に備える舞台装置制御システム用携帯端末Ｍにおいて、操作部３は、ケース１の外周近傍に外周に沿って略直線状に配列されるとともに、それぞれに機能が割り当てられた複数のボタン３ａ〜３ｅにより構成され、少なくとも一部のボタンは、複数の機能を切り替えて用いるものであることを特徴としている。【選択図】図３
2005334235.tif 000002
【特許請求の範囲】
【請求項１】
舞台装置の配列情報を表示する表示部と、表示部に表示される舞台装置の配列情報を用いて制御する舞台装置を選択でき、選択した舞台装置の制御内容を入力できる操作部と、アンテナ部と、操作部により選択された舞台装置に対する制御情報をアンテナ部から外部に送信する無線通信部と、をケースに備える舞台装置制御システム用携帯端末において、前記操作部は、ケースの外周近傍に外周に沿って略直線状に配列されるとともに、それぞれに機能が割り当てられた複数のボタンにより構成され、少なくとも一部のボタンは、複数の機能を切り替えて用いるものであることを特徴とする舞台装置制御システム用携帯端末。
【請求項２】
前記操作部は、所定のボタンを機能させると、選択する舞台装置の範囲を狭めるように複数のボタンの少なくとも一部の機能を切り替えることを特徴とする請求項１記載の舞台装置制御システム用携帯端末。
【請求項３】
前記操作部は、前記表示部に表示されるボタンであることを特徴とする請求項１または２記載の舞台装置制御システム用携帯端末。
【請求項４】
操作部の表示位置の変更を指示する表示位置選択部を有し、表示位置選択部の入力に応じて表示部における操作部の位置を変更することを特徴とする請求項３記載の舞台装置制御システム用携帯端末。
【請求項５】
請求項１〜４記載のいずれかに記載の舞台装置制御システム用携帯端末と、複数の舞台装置と、制御情報が入力され制御情報に応じて舞台装置を制御する制御盤と、第２のアンテナ部を備え、前記舞台装置制御システム用携帯端末から送信された前記制御情報を該第２のアンテナ部で受信して制御盤に伝送する無線アクセス装置とを備える舞台装置制御システム。
【発明の詳細な説明】
【技術分野】
【０００１】
本発明は、劇場などの演出に用いる舞台装置制御システムと、現場での調整作業などで用いる舞台装置制御システム用携帯端末に関する。
【背景技術】
【０００２】
従来から、舞台装置制御システムは、スタジオ、劇場、ホール、宴会場などの大規模な施設の舞台装置を一元的に制御して演出するために用いられている。この舞台装置制御システムは、複数の舞台装置と、複数の舞台装置から制御する舞台装置を選択し、その舞台装置に対する制御内容を定めてそれに対応する制御信号を出力する制御卓と、制御卓からの制御信号により舞台装置を制御する制御盤とを有して構成されている。代表的な舞台装置制御システムには、照明を制御して演出を行う調光システムがある。
【０００３】
この舞台装置制御システムは、実際に演出を行うに際し、リハーサルなどで行う事前の調整作業を行う必要がある。例えば、調光システムの場合には、舞台上の明かりが適切かどうかを確認しながら、照明装置の組み合わせや光の照射方向を設定する作業を事前に行う必要がある。
【０００４】
しかしながら、制御卓は、通常、舞台装置の存在する舞台付近の現場から離れた副調整室などに設置されているので、現場で作業する作業者と、現場から離れたところで制御卓を操作する作業者が必要となる。例えば、調光システムにおいて、光の照射方向を調整しながら調光レベルを調整する調整作業を行う場合には、現場で照明装置の向きを調整する作業者と、制御卓（調光卓）で調光レベルを調整する作業者が必要になる。
【０００５】
したがって、このような舞台装置制御システムでは、現場にいる作業者と、現場から離れたところで制御卓を操作する作業者との間で無線機などを用いて意思の疎通をはかりながら作業をする必要があり、調整作業を効率的に行うことが困難であるという問題がある。また、この調整作業を一人の作業者で行うとすれば、現場と制御卓との間を行き来して調整する必要があり、効率的に作業を行うことはさらに困難となる。
【０００６】
この点について、特許文献１には、現場で作業者が舞台装置制御システム用携帯端末（ハンディターミナル）により舞台装置の制御内容の入力を行い、無線で制御情報（指令）を送信し、アクセスポイントで受信した制御情報により舞台装置を制御（操作）する舞台装置のワイヤレス操作システムが開示されている。
【特許文献１】特開２００２−１１９７７４号公報
【発明の開示】
【発明が解決しようとする課題】
【０００７】
特許文献１に開示された舞台装置制御システム用携帯端末は、現場で舞台装置を操作できるので有用である。しかしながら、現場で作業を行う作業者は、例えば、図１のように、脚立ＳＬ上で操作棒Ｓを用いて照明装置Ｌ１，Ｌ２，Ｌ３…の向きを調節しつつ、調光レベルを変更するなど、片手で１つの作業を行いながらもう一方の手で舞台装置制御システム用携帯端末Ｍを操作する必要が生じる場合がある。
【０００８】
特許文献１にも示されているように、一般に、舞台装置制御システム用携帯端末は、複数の装置の中から制御する対象を選ぶなどの複雑な処理に対応するために、多くのボタンを備えていることが多い。そのため、この舞台装置制御システム用携帯端末を片手で操作が可能なものにしようとすると、装置情報などを表示するスペースが小さくなり、情報が見づらくなるという問題点がある。逆に、装置情報などを表示するスペースを大きくすると、舞台装置制御システム用携帯端末は、片手で操作できない大きさとなるという問題がある。
【０００９】
本発明は、上記事由を考慮してなされたもので、その目的とするところは、片手で操作することが容易で情報表示スペースを広く取ることができる舞台装置制御システム用携帯端末とそれを用いた舞台装置制御システムを提供することにある。
【課題を解決するための手段】
【００１０】
上記課題を解決するために、請求項１に係る発明は、舞台装置の配列情報を表示する表示部と、表示部に表示される舞台装置の配列情報を用いて制御する舞台装置を選択でき、選択した舞台装置の制御内容を入力できる操作部と、アンテナ部と、操作部により選択された舞台装置に対する制御信号をアンテナ部から外部に送信する無線通信部と、をケースに備える舞台装置制御システム用携帯端末において、前記操作部は、ケースの外周近傍に外周に沿って略直線状に配列されるとともに、それぞれに機能が割り当てられた複数のボタンにより構成され、少なくとも一部のボタンは、複数の機能を切り替えて用いるものであることを特徴としている。
【００１１】
したがって、使用者は、ケースを把持しながら、ケースの外周近傍に外周に沿って略直線状に配列されたボタンを、把持している方の手の指で容易に片手操作をすることができる。また、これらのボタンのうち少なくとも一部は複数の機能を有するようにしているので、舞台装置制御システム用携帯端末に設けるボタンの数を少なくすることができ、情報表示スペースを広く取ることができる。
【００１２】
請求項２に係る発明は、請求項１記載の舞台装置制御システム用携帯端末において、前記操作部は、所定のボタンを機能させると、選択する舞台装置の範囲を狭めるように複数のボタンの少なくとも一部の機能を切り替えることを特徴としている。
【００１３】
したがって、所定のボタンを機能させることにより選択する舞台装置の範囲を変化させることができるので、制御する舞台装置を少ない操作で選択することができ、入力効率を良くすることができる。
【００１４】
請求項３に係る発明は、請求項１または２記載の舞台装置制御システム用携帯端末において、前記操作部は、前記表示部に表示されるボタンであることを特徴としている。
【００１５】
したがって、ボタンに割り当てられた機能を表示部に表示することができ、ボタンの機能が変化したときにもボタンの機能を見ながら操作することができる。
【００１６】
請求項４に係る発明は、請求項３記載の舞台装置制御システム用携帯端末において、操作部の表示位置の変更を指示する表示位置選択部を有し、表示位置選択部の入力に応じて表示部における操作部の位置を変更することを特徴としている。
【００１７】
したがって、表示部における操作部の位置を変更することにより、例えば、右利きの人と左利きの人の両方に適したようにすることができる。
【００１８】
請求項５に係る発明は、請求項１〜４記載のいずれかに記載の舞台装置制御システム用携帯端末と、複数の舞台装置と、制御情報が入力され制御情報に応じて舞台装置を制御する制御盤と、第２のアンテナ部を備え、前記舞台装置制御システム用携帯端末から送信された前記制御情報を該第２のアンテナ部で受信して制御盤に伝送する無線アクセス装置とを備える舞台装置制御システムであることを特徴としている。
【００１９】
したがって、使用者は、舞台装置制御システム用携帯端末のケースを把持しながら、ケースの外周近傍に外周に沿って略直線状に配列されたボタンを、把持している方の手の指で容易に片手操作をすることができる。また、これらのボタンのうち少なくとも一部は複数の機能を有するようにしているので、舞台装置制御システム用携帯端末に設けるボタンの数を少なくすることができ、情報表示スペースを広く取ることができる。そのため、このような舞台装置制御システム用携帯端末を用いることにより、舞台装置の多くの情報を見ながら現場で舞台装置を操作できる舞台装置制御システムを提供できる。
【発明の効果】
【００２０】
本願発明の舞台装置制御システム用携帯端末によれば、使用者は、ケースを把持しながら、ケースの外周近傍に外周に沿って略直線状に配列されたボタンを、把持している方の手の指で容易に片手操作をすることができる。また、これらのボタンのうち少なくとも一部は複数の機能を有するようにしているので、舞台装置制御システム用携帯端末に設けるボタンの数を少なくすることができ、情報表示スペースを広く取ることができる。
【００２１】
また、本願発明の舞台装置制御システムによれば、使用者は、舞台装置制御システム用携帯端末のケースを把持しながら、ケースの外周近傍に外周に沿って略直線状に配列されたボタンを、把持している方の手の指で容易に片手操作をすることができる。また、これらのボタンのうち少なくとも一部は複数の機能を有するようにしているので、舞台装置制御システム用携帯端末に設けるボタンの数を少なくすることができ、情報表示スペースを広く取ることができる。そのため、このような舞台装置制御システム用携帯端末を用いることにより、舞台装置の多くの情報を見ながら現場で舞台装置を操作できる舞台装置制御システムを提供できる。
【発明を実施するための最良の形態】
【００２２】
本願発明に係る舞台装置制御システム用携帯端末及び舞台装置制御システムの実施形態について、図１〜図１１に基づいて説明する。ここでは、舞台装置制御システムの代表的な一形態である調光システムについて説明する。
【００２３】
この調光システムは、図１に示すように、複数の舞台装置に対応する照明装置Ｌ１，Ｌ２，Ｌ３…（以後、照明装置全体を示すときまたは特定の照明装置を示さないときには照明装置Ｌと表記する）と、制御盤に対応する調光盤Ｂと、制御卓に対応する調光卓Ｔと、無線アクセス装置に対応する無線ＬＡＮ装置Ｗと、舞台装置制御システム用携帯端末Ｍ（以後、単に携帯端末Ｍと称する）とを有して構成され、調光卓Ｔや携帯端末Ｍを操作することにより、照明装置Ｌの調光レベルを調整するものである。
【００２４】
無線ＬＡＮ装置Ｗは、アンテナを備えて携帯端末Ｍとの間で無線通信を行うものであり、携帯端末Ｍから制御信号をアンテナで受信し、有線で接続された調光卓Ｔに制御信号を伝送する。調光卓Ｔは、調光盤Ｂと接続され、制御信号を用いて調光演算を行い、調光盤Ｂに制御情報を例えばＤＭＸ５１２信号のような調光制御信号として送信するものである。調光盤Ｂは、調光卓Ｔから受信した調光制御信号に基づいて位相制御を行うことにより接続された照明装置Ｌの調光を行う。
【００２５】
ここで、この調光システムは、比較的コストを抑えたもので、照明装置Ｌの調光レベルの制御のみ行え、照明装置の向きは制御できないものとしている。そのため、舞台装置を調整する作業者Ｈは、照明装置Ｌの調整を行う際、脚立ＳＬのような足場の上で、操作棒Ｓを用いて照明装置Ｌの向きを調整しながら、携帯端末Ｍを片手で操作して照明装置Ｌ中の所定のものの調光レベルを制御する必要がある。
【００２６】
携帯端末Ｍは、ケース１と、表示部２と、操作部３と、アンテナ部４と、無線通信部５と、処理部６と、記憶部７とを有して構成されている。
【００２７】
ケース１は、樹脂で角に丸みをつけた略直方体形状に形成されたものであり、厚み方向に分かれる２つの部材を嵌めあわせて構成されている。このケース１は、図３に示すように、一方の広い面に表示部２をはめ込む長方形の孔部が設けられており、その反対側の面に持ちやすさを向上するための楕円状の手指挿入部１ａが設けられている。
【００２８】
表示部２は、液晶ディスプレイ装置であり、その表示面に情報提示部２ａと、操作部３と、表示位置選択部３１とを表示している。情報提示部２ａは、記憶部７に記憶された負荷配置情報７ａをもとに照明装置Ｌの配列情報等を表示する。ここでは、照明装置Ｌの一部が割り当てられたチャンネル番号と、個々の負荷を示す正方形のマークが表示されており、個々の負荷は５×６のマトリクス状に表示されている。このマトリクスの横一列は、グループとして取り扱われ、あるものはバトンのように負荷が複数設けられたものを示している。図３では、Ａ１〜Ａ４，ＵＨ１，ＵＨ２は、それぞれバトン番号を、正方形で示されている個々の負荷は照明装置を示しており、上述のように個々の負荷へのチャンネル割付状態は、記憶部７に設定情報７ｂとして保持されている。
【００２９】
操作部３は、ケース１の外周近傍に外周に沿って略直線状に配列され、それぞれに機能が割り当てられた５つのボタン３ａ〜３ｅにより構成されている。この操作部３は、表示部２に表示される照明装置Ｌの配列情報を用いて制御する照明装置を選択でき、選択した照明装置の制御内容を入力できるものである。ボタン３ａ〜３ｅは、表示部２に表示されるボタンであり、所謂タッチパネルで構成されている。ボタン３ａ〜３ｅは、記憶部７に記憶された操作ボタン構成テーブル７ｄに基づいて複数の機能を切り替えて用いることができる。ここでは、５つのボタン３ａ〜３ｅのすべてが複数の機能を有するようにしているが、一部のボタンについてのみ複数の機能を有するようにしてもよい。
【００３０】
図４は、操作ボタン構成テーブル７ｄの内容を示しており、本実施形態では、５つのボタン３ａ〜３ｅは、“チャンネル選択状態”，“負荷（バトン）選択状態”，“負荷（個別）選択状態”，“調光選択状態”の４つの操作ボタン状態を切り替えて用いられる。ここで、図４中の“ボタン１”〜“ボタン５”は、ボタン３ａ〜３ｅに対応している。
【００３１】
チャンネル選択状態では、ボタン３ａ〜３ｅには、順に、操作ボタン状態を負荷（バトン）選択状態にする機能、チャンネル番号を１０増加させる機能、チャンネル番号を１増加させる機能、チャンネル番号を１減少させる機能、チャンネル番号を１０減少させる機能が割り当てられる。
【００３２】
負荷（バトン）選択状態では、ボタン３ａ〜３ｅに、操作ボタン状態を負荷（個別）状態にする機能、操作ボタン状態を調光選択状態にする機能、記憶部７に記憶された仮選択情報７ｃに選択中のバトンをひとつ上に移動する機能、記憶部７に記憶された仮選択情報７ｃに選択中のバトンをひとつ下に移動する機能、仮選択情報７ｃで選択中の負荷に表示されているチャンネル番号を設定する機能が順に割り当てられる。
【００３３】
負荷（個別）選択状態では、ボタン３ａ〜３ｅに、操作ボタン状態を調光選択状態にする機能、操作ボタン状態を負荷（バトン）選択状態にする機能、記憶部７に記憶された仮選択情報７ｃに選択中の負荷をひとつ右に移動する機能、記憶部７に記憶された仮選択情報７ｃに選択中の負荷をひとつ左に移動する機能、仮選択情報７ｃで選択中の負荷に表示されているチャンネル番号を設定する機能が順に割り当てられる。
【００３４】
調光選択状態では、ボタン３ａ〜３ｅに、操作ボタン状態をチャンネル選択状態にする機能、画面上に表示されているチャンネルが設定されている負荷（以後、選択負荷と称する）の調光レベルを１０％増加する機能、選択負荷の調光レベルを１％増加する機能、選択負荷の調光レベルを１％減少する機能、選択負荷の調光レベルを１０％減少する機能が順に割り当てられる。
【００３５】
ボタン３ａ〜３ｅは、上述のように機能が割り当てられると、各操作ボタン状態の表示欄に示された内容が表示される。このようにして、操作部３は、ボタン３ａを機能させるにつれ、バトンから個別の負荷へと選択する舞台装置の範囲を狭めるようにボタン３ａ〜３ｅの機能を切り替えることを特徴としている。
【００３６】
表示位置選択部３１は、表示部２上の情報提示部２ａと操作部３の位置を変化させるためのもので、ボタン３ａ〜３ｅと同様にタッチパネルで構成されている。表示位置選択部３１に触れて機能させると、記憶部７の表示位置情報７ｆに基づいて、表示部２のレイアウトを変更する。例えば、図１１に示すように、操作部３と情報提示部２ａの位置関係を入れ替えて、左利きの人に適するようにすることもできる。
【００３７】
アンテナ部４は、ケース内に設けられたパッチアンテナであり、図１に示すように、無線ＬＡＮ装置Ｗとの間で無線信号ＷＬの送受信を行うものである。また、無線通信部５は、操作部３により選択された照明装置に対する制御信号をアンテナ部４から外部に無線ＬＡＮ装置Ｗ送信するものである。また、処理部６は、ＣＰＵを主要構成部とし、記憶部７に記憶されたプログラム（不図示）に基づいて携帯端末Ｍの各部を制御するものであり、上述のボタン３ａ〜３ｅ及び表示位置選択部３１の処理や、情報提示部２ａの表示処理などを制御する。
【００３８】
記憶部７は、不揮発性のメモリと揮発性のメモリにより構成されており、負荷配置情報７ａと、設定情報７ｂと、仮選択情報７ｃと、操作ボタン構成テーブル７ｄと、操作ボタン状態７ｅと、表示位置情報７ｆとを有して構成されている。
【００３９】
負荷配置情報７ａは、情報提示部２ａに表示する際の負荷の配列情報を示しており、設定情報７ｂは、チャンネル番号の各負荷への割付状態を示すものである。また、仮選択情報７ｃは、ボタン３ａ〜３ｅの入力により仮選択されている、バトンもしくは負荷の情報を示すものである。操作ボタン構成テーブル７ｄは、上述のように、操作ボタン状態ごとにボタン３ａ〜３ｅに割り当てられる機能とその際の表示内容を記憶したものである。操作ボタン状態情報７ｅは、どの操作ボタン状態で動作しているかの情報を示すものである。表示位置情報７ｆは、表示部２上のレイアウト情報を示すものであり、左利きの人及び右利きの人に適するパターンなど複数のパターンを有している。
【００４０】
次に、本実施形態の動作について説明する。図３において、ボタン３ｂ〜３ｅを操作することにより設定するチャンネル番号を選び（ここでは１２を選択している。）、ボタン３ａを操作することによりチャンネル番号を決定する。そうすると、処理部６は、操作ボタン状態情報７ｅに負荷（バトン）選択状態であることを示す情報（例えば、“Ｂ”）を書き込む。そのため、操作ボタン状態情報７ｅは、“Ａ”から“Ｂ”に書き換えられる。すると、ボタン３ａ〜３ｅは、図５に示すように、ボタン３ａ〜３ｅの表示が変化する。そして、この状態で、ボタン３ｃとボタン３ｄを操作すると、図６に示すように、横一列のバトン単位で仮選択された表示（図中で網掛けされて表示）を上下に動かすことができるようになり、その仮選択された情報は記憶部７に仮選択情報７ｃとして記憶される。ここで、ボタン３ｂを操作すると、仮選択しているバトン全体を選択し、図９に示す調光画面でボタン３ｂ〜３ｅを操作することにより、バトン単位で調光することができる。
【００４１】
また、図６で、ボタン３ａを操作すると、図７と図８に示すように、ボタン３ｃとボタン３ｄにより仮選択した表示を仮選択したバトン内の個々の負荷の単位で選択できるようになり、その仮選択された情報は記憶部７に仮選択情報７ｃとして記憶される。ここで、ボタン３ｂを操作すると、図５のバトン単位での選択に戻ることができる。また、図８でボタン３ａを操作すると、図９に示す調光画面でボタン３ｂ〜３ｅを操作することにより、個々の負荷の単位で調光することができる。調光が終了したときにボタン３ａを操作すると、図３の状態に戻ることができる。
【００４２】
ところで、携帯端末Ｍで図９の調光画面でボタン３ｂ〜３ｅを操作すると、処理部６は、無線通信部５によりアンテナ部４を介して制御信号を送信する。そうすると、図１０に示すように、選択されている照明装置を調光する制御信号が無線ＬＡＮ装置Ｗに送信され、無線ＬＡＮ装置Ｗは、受信した制御信号を調光卓Ｔに伝送する。調光卓Ｔは、受信した制御信号に基づいて調光演算を行い、例えばＤＭＸ５１２信号のような調光制御信号を調光盤Ｂに送信する。調光盤Ｂは、受信した調光制御信号に基づいて特定の照明装置Ｌに対して位相制御出力を行うことにより調光を行う。このようにして、携帯端末Ｍの操作部３を操作することにより、照明装置Ｌの調光を行うことができる。
【００４３】
このように、本実施形態においては、携帯端末Ｍの操作部３は、ケース１の外周近傍に外周に沿って略直線状に配列されるとともに、それぞれに機能が割り当てられた複数のボタンにより構成され、少なくとも一部のボタンは、複数の機能を切り替えて用いている。そのため、使用者は、ケース１を把持しながら、把持している方の手の指でボタン３ａ〜３ｅを容易に片手操作をすることができる。また、これらのボタン３ａ〜３ｅは複数の機能を有するようにしているので、携帯端末Ｍに設けるボタン数を少なくすることができ、情報表示スペースである情報提示部２ａを広く取ることができる。
【００４４】
また、操作部３は、ボタン３ａを機能させると、選択する照明装置の範囲を狭めるようにボタン３ａ〜３ｅの機能を切り替えている。そのため、制御する照明装置を少ない操作で選択することができ、入力効率を良くすることができる。
【００４５】
また、操作部３は、表示部２に表示されるボタン３ａ〜３ｅであるので、ボタン３ａ〜３ｅに割り当てられた機能を表示部に表示することができ、ボタン３ａ〜３ｅの機能が変化したときにもボタン３ａ〜３ｅの機能を見ながら操作することができる。
【００４６】
また、操作部３の表示位置の変更を指示する表示位置選択部３１を有し、表示位置選択部３１の入力に応じて表示部２における操作部３の位置を変更しているので、表示部２における操作部３の位置を変更することにより、例えば、図１１に示すように、右利きの人と左利きの人の両方に適したようにすることができる。
【００４７】
次に、本実施形態の変形例について、図１２〜図１４を用いて説明する。図１２は、ボタン３ａ〜３ｅの機能を、ボタン３ａ〜３ｅ上ではなく、横側に表示したものである。このようにすることにより、例えば親指で連続操作する際にもボタンの機能を常に見ることができるので、操作性のよい携帯端末Ｍとすることができる。
【００４８】
また、図１３は、ボタン３ａ〜３ｅを操作したときに、ボタン３ａ〜３ｅの機能をボタン３ａ〜３ｅの横側に表示するようにしたものである。このようにすると、例えば親指で連続操作する際にもボタンの機能を常に見ることができるとともに、情報提示部２ａの領域を狭めることのない操作性のよい携帯端末Ｍとすることができる。
【００４９】
また、図１４は、ボタン３ａ〜３ｅに加えて、負荷（バトン）選択状態において、頁送り機能を有するボタン３ｆを有したものである。このボタン３ｆは、表示しているバトンを一頁分先送りするものである。このボタン３ｆを有することにより、目的のバトンに早くアクセスすることができる。ここで、頁戻し機能を有するボタンを必ずしも設ける必要がなく、各ボタンに割り当てられる領域の広さと取り扱うバトン数に応じて定めることができる。
【００５０】
なお、実施形態の説明においては、操作部３が表示部２に表示されたボタンであるものについてのみ説明したが、それに限るものではなく、操作部３と情報提示部２ａの関係が同様であればハード構成のボタンであってもよい。
【図面の簡単な説明】
【００５１】
【図１】本願発明の舞台装置制御システムの構成を示す概略図である。
【図２】本願発明の舞台装置制御システム用携帯端末を示すブロック図である。
【図３】本願発明の舞台装置制御システム用携帯端末の外観を示すものであり、（ａ）は正面図、（ｂ）は側面図である。
【図４】本願発明の舞台装置制御システム用携帯端末のボタンの機能の階層構成（操作ボタン構成テーブル）を示す説明図である。
【図５】本願発明の舞台装置制御システム用携帯端末におけるチャンネル選択直後の負荷（バトン）選択状態の表示画面を示す正面図である。
【図６】本願発明の舞台装置制御システム用携帯端末における負荷（バトン）選択状態の表示部を示す正面図である。
【図７】本願発明の舞台装置制御システム用携帯端末における負荷（バトン）選択直後の負荷（個別）選択状態の表示部を示す正面図である。
【図８】本願発明の舞台装置制御システム用携帯端末における負荷（個別）選択状態の表示部を示す正面図である。
【図９】本願発明の舞台装置制御システム用携帯端末における調光選択状態の表示部を示す正面図である。
【図１０】本願発明の舞台装置制御システムの情報の流れを示すシーケンス図である。
【図１１】本願発明の舞台装置制御システム用携帯端末において表示位置選択部の入力後の例を示す表示部を示す正面図である。
【図１２】本願発明の舞台装置制御システム用携帯端末の一変形例の操作部を示す模式図である。
【図１３】本願発明の舞台装置制御システム用携帯端末の他の変形例の操作部を示す模式図である。
【図１４】本願発明の舞台装置制御システム用携帯端末の他の変形例の操作部を示す模式図である。
【符号の説明】
【００５２】
１    ケース
２    表示部
３    操作部
４    アンテナ部
５    無線通信部
６    処理部
７    記憶部
Ｍ    舞台装置制御システム用携帯端末
Ｔ    調光卓（制御卓）
Ｂ    調光盤（制御盤）
Ｗ    無線ＬＡＮ装置（無線アクセス装置）
【図１】
2005334235.tif 000003
【図２】
2005334235.tif 000004
【図３】
2005334235.tif 000005
【図４】
2005334235.tif 000006
【図５】
2005334235.tif 000007
【図６】
2005334235.tif 000008
【図７】
2005334235.tif 000009
【図８】
2005334235.tif 000010
【図９】
2005334235.tif 000011
【図１０】
2005334235.tif 000012
【図１１】
2005334235.tif 000013
【図１２】
2005334235.tif 000014
【図１３】
2005334235.tif 000015
【図１４】
2005334235.tif 000016